(57)【要約】【課題】カセットに収納された小束紙幣を取り出すに際して、その小束紙幣からの紙幣の抜き取りやすり替えがあったことをより精度よく検出する技術を提供する。【解決手段】小束紙幣がカセットに収納されて取り出される場合に小束紙幣の収納前および取り出し後それぞれにおいて読み取られた小束紙幣の上面紙幣の記番号が一致するか否かを示す判定結果を取得する取得部１９２と、判定結果が小束紙幣の上面紙幣の記番号の不一致を示す場合に、小束紙幣を所定の収納庫に搬送させる搬送制御部１９３と、を備える、小束管理装置１０Ａが提供される。【選択図】図３
2014102545.tif 000002
【特許請求の範囲】
【請求項１】
小束紙幣がカセットに収納されて取り出される場合に前記小束紙幣の収納前および取り出し後それぞれにおいて読み取られた前記小束紙幣の上面紙幣の記番号が一致するか否かを示す判定結果を取得する取得部と、
前記判定結果が前記小束紙幣の上面紙幣の記番号の不一致を示す場合に、前記小束紙幣を所定の収納庫に搬送させる搬送制御部と、
を備える、小束管理装置。
【請求項２】
前記小束紙幣は、所定枚数分の紙幣が施封されることにより生成される、
請求項１に記載の小束管理装置。
【請求項３】
前記取得部は、施封前に前記上面紙幣に相当する紙幣の記番号が読み取られた場合、当該紙幣の記番号と前記小束紙幣の取り出し後に読み取られた前記上面紙幣の記番号とが一致するか否かを示す判定結果を取得する、
請求項２に記載の小束管理装置。
【請求項４】
前記取得部は、施封後に前記上面紙幣の記番号が読み取られた場合、当該上面紙幣の記番号と前記小束紙幣の取り出し後に読み取られた前記上面紙幣の記番号とが一致するか否かを示す判定結果を取得する、
請求項１に記載の小束管理装置。
【請求項５】
前記小束管理装置は、
前記カセットに収納されている小束紙幣の束数をカウントする精査部をさらに備える、
請求項１に記載の小束管理装置。
【請求項６】
前記精査部は、精査に使用する精査使用カセットが特定された場合、前記精査使用カセットと精査対象カセットとの間における小束紙幣の搬送時に前記小束紙幣の束数をカウントする、
請求項５に記載の小束管理装置。
【請求項７】
空きカセットが存在する場合には、前記空きカセットが前記精査使用カセットとして特定される、
請求項６に記載の小束管理装置。
【請求項８】
収納可能な小束紙幣の金種が精査対象の金種と同一であるカセットが存在する場合には、当該カセットが前記精査使用カセットとして特定される、
請求項６に記載の小束管理装置。
【請求項９】
前記搬送制御部は、前記精査対象カセットへの収納前および前記精査対象カセットと前記精査使用カセットとの間における搬送時それぞれにおいて読み取られた前記小束紙幣の上面紙幣の記番号が一致しない場合に、前記小束紙幣を前記所定の収納庫に搬送させる、
請求項６に記載の小束管理装置。
【請求項１０】
小束紙幣がカセットに収納されて取り出される場合に前記小束紙幣の収納前および取り出し後それぞれにおいて読み取られた前記小束紙幣の上面紙幣の記番号が一致するか否かを示す判定結果を取得するステップと、
前記判定結果が前記小束紙幣の上面紙幣の記番号の不一致を示す場合に、前記小束紙幣を所定の収納庫に搬送させるステップと、
を含む、小束管理方法。
【発明の詳細な説明】
【技術分野】
【０００１】
本発明は、小束管理装置および小束管理方法に関するものである。
【背景技術】
【０００２】
紙幣を取り扱う場合としては、例えば、１枚単位の紙幣（以下、「バラ紙幣」とも言う。）として取り扱う場合もあれば、複数の紙幣に対して施封がなされることによって生成される束状の紙幣（以下、「小束紙幣」とも言う。）として取り扱う場合もある。ここで、小束紙幣として紙幣を取り扱う場合には、バラ紙幣を取り扱う場合と異なる点も想定される。小束紙幣を取り扱う手法としては様々な手法が存在する。
【０００３】
例えば、カセットに収納されている小束紙幣の紙帯に沿ってカセットの上端から下端までセンサを上下させ、センサによって検出される光量によって束の切れ目を特定して、小束紙幣の束数をカウントする手法が開示されている（例えば、特許文献１参照）。かかる手法によれば、束の切れ目を精度よく特定することが可能であるため、小束紙幣の束数を精度よくカウントすることが可能である。
【０００４】
また、他の手法として、例えば、空きカセットを回収用カセットとしてあらかじめ用意し、精査対象カセットから取り出した小束紙幣の上面紙幣の金種を判定してから回収用カセットに移動させる手法が開示されている（例えば、特許文献２参照）。かかる手法によれば、小束紙幣の上面紙幣の金種を判定しながら束数をカウントすることが可能であるため、金種が正常ではない場合には、小束紙幣から紙幣の抜き取りやすり替えが行われた可能性があると判断することができる。
【先行技術文献】
【特許文献】
【０００５】
【特許文献１】特開２０１１−２４８４４９号公報
【特許文献２】特開２００６−２５２０７６号公報
【発明の概要】
【発明が解決しようとする課題】
【０００６】
しかしながら、センサによって検出される光量によって束の切れ目を特定して、小束紙幣の束数をカウントする手法を用いた場合には、小束紙幣からの紙幣の抜き取りやすり替えを検出できないという問題がある。また、小束紙幣の上面紙幣の金種を判定してから回収用カセットに移動させる手法を用いた場合には、小束紙幣の上面紙幣の金種を判定するに過ぎないため、小束紙幣からの紙幣の抜き取りやすり替えを検出するための手法としては不十分であるという問題がある。
【０００７】
そこで、本発明は、上記問題に鑑みてなされたものであり、本発明の目的とするところは、カセットに収納された小束紙幣を取り出すに際して、その小束紙幣からの紙幣の抜き取りやすり替えがあったことをより精度よく検出する技術を提供することにある。
【課題を解決するための手段】
【０００８】
上記問題を解決するために、本発明のある観点によれば、小束紙幣がカセットに収納されて取り出される場合に前記小束紙幣の収納前および取り出し後それぞれにおいて読み取られた前記小束紙幣の上面紙幣の記番号が一致するか否かを示す判定結果を取得する取得部と、前記判定結果が前記小束紙幣の上面紙幣の記番号の不一致を示す場合に、前記小束紙幣を所定の収納庫に搬送させる搬送制御部と、を備える、小束管理装置が提供される。
【０００９】
前記小束紙幣は、所定枚数分の紙幣が施封されることにより生成されてもよい。
【００１０】
前記取得部は、施封前に前記上面紙幣に相当する紙幣の記番号が読み取られた場合、当該紙幣の記番号と前記小束紙幣の取り出し後に読み取られた前記上面紙幣の記番号とが一致するか否かを示す判定結果を取得してもよい。
【００１１】
前記取得部は、施封後に前記上面紙幣の記番号が読み取られた場合、当該上面紙幣の記番号と前記小束紙幣の取り出し後に読み取られた前記上面紙幣の記番号とが一致するか否かを示す判定結果を取得してもよい。
【００１２】
前記小束管理装置は、前記カセットに収納されている小束紙幣の束数をカウントする精査部をさらに備えてもよい。
【００１３】
前記精査部は、精査に使用する精査使用カセットが特定された場合、前記精査使用カセットと精査対象カセットとの間における小束紙幣の搬送時に前記小束紙幣の束数をカウントしてもよい。
【００１４】
空きカセットが存在する場合には、前記空きカセットが前記精査使用カセットとして特定されてもよい。
【００１５】
収納可能な小束紙幣の金種が精査対象の金種と同一であるカセットが存在する場合には、当該カセットが前記精査使用カセットとして特定されてもよい。
【００１６】
前記搬送制御部は、前記精査対象カセットへの収納前および前記精査対象カセットと前記精査使用カセットとの間における搬送時それぞれにおいて読み取られた前記小束紙幣の上面紙幣の記番号が一致しない場合に、前記小束紙幣を前記所定の収納庫に搬送させてもよい。
【００１７】
また、本発明のある観点によれば、小束紙幣がカセットに収納されて取り出される場合に前記小束紙幣の収納前および取り出し後それぞれにおいて読み取られた前記小束紙幣の上面紙幣の記番号が一致するか否かを示す判定結果を取得するステップと、前記判定結果が前記小束紙幣の上面紙幣の記番号の不一致を示す場合に、前記小束紙幣を所定の収納庫に搬送させるステップと、を含む、小束管理方法が提供される。
【発明の効果】
【００１８】
以上説明したように本発明によれば、カセットに収納された小束紙幣を取り出すに際して、その小束紙幣からの紙幣の抜き取りやすり替えがあったことをより精度よく検出することが可能である。
【図面の簡単な説明】
【００１９】
【図１】本発明の第１の実施形態に係る情報処理システムの構成例を示す図である。
【図２】本発明の第１の実施形態に係る小束管理装置の構成例を示す図である。
【図３】小束管理装置の制御部の機能構成例を示す図である。
【図４】記番号が一致する場合における更新前の小束管理データベースの構成例を示す図である。
【図５】記番号が一致する場合における更新後の小束管理データベースの構成例を示す図である。
【図６】記番号が一致しない場合における更新前の小束管理データベースの構成例を示す図である。
【図７】記番号が一致しない場合における更新後の小束管理データベースの構成例を示す図である。
【図８】小束管理装置への入金処理の動作の流れを示すフローチャートである。
【図９】小束管理装置への出金処理の動作の流れを示すフローチャートである。
【図１０】小束管理装置への小束紙幣の装填処理の動作の流れを示すフローチャートである。
【図１１】小束管理装置からの小束紙幣の回収処理の動作の流れを示すフローチャートである。
【図１２】空きカセットを精査使用カセットとして特定する場合における精査の例について説明するための図である。
【図１３】精査対象の金種と同一の金種のカセットを精査使用カセットとして特定する場合における精査の例について説明するための図である。
【図１４】精査対象の金種と異なる金種のカセットを精査使用カセットとして特定する場合における精査の例について説明するための図である。
【図１５】空きカセットが存在しない場合に手回収により空きカセットを作る場合における精査の動作例を示すフローチャートである。
【図１６】空きカセットが存在しない場合に手回収により空きカセットを作る場合における精査の動作例を示すフローチャートである。
【図１７】空きカセットが存在しない場合に手回収により空きカセットを作る場合における精査の動作例を示すフローチャートである。
【図１８】精査対象の金種と同一の金種のカセットが存在するか否かを判定する場合における精査の動作例を示すフローチャートである。
【図１９】精査対象の金種と同一の金種のカセットが存在するか否かを判定する場合における精査の動作例を示すフローチャートである。
【図２０】本発明の第２の実施形態に係る情報処理システムの構成例を示す図である。
【図２１】本発明の第２の実施形態に係る小束管理装置の構成例を示す図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２２】
［第１の実施形態の説明］
まず、本発明の第１の実施形態に係る情報処理システム１Ａの構成例について説明する。図１は、本発明の第１の実施形態に係る情報処理システム１Ａの構成例を示す図である。図１に示すように、情報処理システム１Ａは、小束管理装置１０Ａと、制御システム２０とを備えている。制御システム２０は、制御端末２１と、小束管理データベース２２とを備えている。
【００２３】
制御端末２１は、オペレータの操作に基づいて小束管理装置１０Ａを制御する。より詳細には、図１に示すように、制御端末２１は、オペレータからの操作に応じた取引指示を小束管理装置１０Ａに通知すると、小束管理装置１０Ａは、取引指示に基づいて取引を行い、取引を行った結果を取引結果として制御端末２１に通知する。小束管理装置１０Ａにおいて行われる取引としては、入金処理、出金処理、装填処理、回収処理、精査処理などが想定される。
【００２４】
小束管理データベース２２には、小束管理装置１０Ａに格納されているカセットを識別するためのカセット識別子と、当該カセットに収納されている小束紙幣の上面紙幣の金種と、当該上面紙幣の記番号とが関連付けられてなるデータが記録される。ここで、上面紙幣は、小束紙幣を構成する所定枚数分のバラ紙幣のうち、最上面のバラ紙幣に相当する。ここでの小束紙幣とは、記番号が記載されている紙幣の表面が小束紙幣の上面になるように束ねられている。紙幣の裏面が小束紙幣の上面にくるように搬送および収納される場合は、小束紙幣の下面に記番号が記載されている紙幣の表面がくる。以下では、記番号が記載されている紙幣の表面が小束紙幣の上面になるように束ねられている場合について説明するが、小束紙幣の下面に記番号が記載されている紙幣の表面がくる場合においても、上面を下面と読み替えることで本願を適用できることは明らかである。
【００２５】
図１に示すように、小束管理データベース２２に記録されるデータは、小束管理装置１０Ａにおける取引に際して、必要に応じて制御端末２１により取得され得る。また、図１に示すように、小束管理データベース２２に記録されるデータは、小束管理装置１０Ａにおける取引に際して、必要に応じて制御端末２１により更新され得る。
【００２６】
なお、以下の説明においては、カセット識別子と金種と記番号とを用いる場合について主に説明するが、カセット識別子および金種については必要に応じて用いればよい。例えば、小束管理装置１０Ａに格納されているカセットが１つである場合などには、カセットを識別する必要がないため、カセット識別子は特に用いられなくてもよい。また、例えば、小束管理装置１０Ａにおいて取り扱う金種が１種類である場合などには、金種は特に用いられなくてもよい。
【００２７】
また、以下の説明においては、カセット１６０ごとに収納可能な小束紙幣の金種が定められている場合について主に説明する。かかる場合には、カセット１６０ごとに収納可能な小束紙幣の金種は制御端末２１により記憶されており、小束紙幣の金種が特定されれば、その金種の小束紙幣を収納可能なカセット１６０を特定して、そのカセット１６０に小束紙幣を収納したり、そのカセット１６０から小束紙幣を取り出したりすることが可能である。しかし、カセット１６０ごとに収納可能な小束紙幣の金種は定まっていなくてもよい。
【００２８】
また、図１に示した例では、制御端末２１と小束管理装置１０Ａとが別体に構成されているが、制御端末２１が有する機能の全部または一部は、小束管理装置１０Ａが有していてもよい。また、図１に示した例では、小束管理データベース２２と制御端末２１とが別体に構成されているが、小束管理データベース２２は、制御端末２１に組み込まれていてもよい。
【００２９】
以上、本発明の第１の実施形態に係る情報処理システム１Ａの構成例について説明した。続いて、本発明の第１の実施形態に係る小束管理装置１０Ａの構成例について説明する。
【００３０】
図２は、本発明の第１の実施形態に係る小束管理装置１０Ａの構成例を示す図である。図２に示すように、小束管理装置１０Ａは、入金口１１０と、紙幣認識部１２０と、入金リジェクト部１２１と、反転部１２２と、集積部１２３と、第１小束搬送部１３１と、第２小束搬送部１３２と、第３小束搬送部１３３とを備える。また、図２に示すように、小束管理装置１０Ａは、施封部１４０と、小束認識部１５０と、カセット１６０と、リジェクト庫１７０と、出金口１８０と、制御部１９０とを備えている。
【００３１】
小束管理装置１０Ａによる動作の制御は、制御部１９０によって行われる。まず、入金時における小束管理装置１０Ａの動作について説明する。オペレータが入金口１１０を介して小束管理装置１０Ａにバラ紙幣を入金すると、紙幣認識部１２０によりバラ紙幣の認識がなされる。紙幣認識部１２０によるバラ紙幣の認識においては、例えば、バラ紙幣の金種が判別され、バラ紙幣の記番号が読み取られる。紙幣認識部１２０によってバラ紙幣の認識が正常に行われなかった場合には、バラ紙幣は、入金リジェクト部１２１に搬送される。一方、紙幣認識部１２０によってバラ紙幣の認識が正常に行われた場合には、バラ紙幣は、反転部１２２に搬送される。
【００３２】
反転部１２２にバラ紙幣が搬送されると、反転部１２２によってバラ紙幣の向きが所定の向きに合わせられる。これにより、複数のバラ紙幣が集積部１２３に集積される場合に、複数のバラ紙幣の間で表裏の向きが揃えられる。反転部１２２によってバラ紙幣の向きが所定の向きに合わせられると、バラ紙幣が集積部１２３に搬送される。集積部１２３においては、バラ紙幣が集積されるが、紙幣認識部１２０によって判別された金種に基づいて、金種ごとにバラ紙幣が集積される。
【００３３】
集積部１２３において所定枚数分のバラ紙幣が集積された場合には、所定枚数分の集積されたバラ紙幣が第１小束搬送部１３１によって施封部１４０に搬送される。施封部１４０においては、所定枚数分の集積されたバラ紙幣に対して施封がなされる。所定枚数分の集積されたバラ紙幣に対して施封がなされると、所定枚数分の集積されたバラ紙幣が紙帯により把束されて小束紙幣が生成される。
【００３４】
施封部１４０によって施封された小束紙幣は、第３小束搬送部１３３によりカセット１６０に搬送され、小束認識部１５０により収納される。小束紙幣がカセット１６０に収納される際には、例えば、施封部１４０によって施封された小束紙幣の金種と同一の金種の小束紙幣を収納可能なカセット１６０に収納される。なお、図２に示した例では、小束管理装置１０Ａにカセット１６０が３つ格納されているが、小束管理装置１０Ａに格納されるカセット１６０の数は特に限定されない。
【００３５】
続いて、出金時における小束管理装置１０Ａの動作について説明する。オペレータにより指定された金種の小束紙幣が小束認識部１５０によりカセット１６０から取り出されると、小束認識部１５０により小束紙幣の上面紙幣の金種が判別され、バラ紙幣の記番号が読み取られる。小束認識部１５０によって小束紙幣の上面紙幣の認識結果が正常ではない場合には、小束紙幣は、第３小束搬送部１３３により所定の収納庫に搬送される。所定の収納庫は特に限定されないが、例えば、リジェクト庫１７０であってもよい。以下では、所定の収納庫の例としてリジェクト庫１７０を用いて説明する。一方、小束認識部１５０によって小束紙幣の上面紙幣の認識結果が正常である場合には、小束紙幣は、第２小束搬送部１３２により出金口１８０に搬送される。
【００３６】
以上、本発明の第１の実施形態に係る小束管理装置１０Ａの構成例について説明した。続いて、本発明の第１の実施形態に係る小束管理装置１０Ａの制御部１９０の機能構成例について説明する。
【００３７】
図３は、本発明の第１の実施形態に係る小束管理装置１０Ａの制御部１９０の機能構成例を示す図である。図３に示すように、制御部１９０は、通知部１９１と、取得部１９２と、搬送制御部１９３と、精査部１９４とを備えている。ここでは、通知部１９１、取得部１９２および搬送制御部１９３それぞれが有する機能について主に説明し、精査部１９４が有する機能については、後に説明する。
【００３８】
通知部１９１は、小束紙幣の収納前に読み出された小束紙幣の上面紙幣の記番号を制御端末２１に通知する。また、通知部１９１は、小束紙幣の収納前に判別された小束紙幣の上面紙幣の金種を制御端末２１に通知する。さらに、通知部１９１は、小束紙幣の収納先のカセット１６０を識別するためのカセット識別子を制御端末２１に通知する。制御端末２１は、通知部１９１から通知された記番号、金種およびカセット識別子を小束管理データベース２２に記録する。
【００３９】
ここで、制御端末２１に通知される金種および記番号としては、入金時における紙幣認識部１２０によるバラ紙幣に対する認識により取得された金種および記番号が用いられてもよいし、入金時における小束認識部１５０による小束紙幣の上面紙幣に対する認識により取得された金種および記番号が用いられてもよい。
【００４０】
また、通知部１９１は、小束紙幣の取り出し後に読み出された小束紙幣の上面紙幣の記番号を制御端末２１に通知する。また、通知部１９１は、小束紙幣の取り出し後に判別された小束紙幣の上面紙幣の金種を制御端末２１に通知する。さらに、通知部１９１は、小束紙幣が収納されていたカセット１６０を識別するためのカセット識別子を制御端末２１に通知する。
【００４１】
制御端末２１は、通知部１９１から通知された記番号が小束管理データベース２２に記録されている記番号と一致するか否かを判定する。かかる判定により、制御端末２１は、小束紙幣がカセット１６０に収納されて取り出される場合に小束紙幣の収納前および取り出し後それぞれにおいて読み取られた小束紙幣の上面紙幣の記番号が一致するか否かを判定することができる。制御端末２１は、かかる判定を行った後、小束管理データベース２２を更新する。
【００４２】
制御端末２１は、判定によって得た判定結果を制御部１９０に通知する。なお、制御端末２１は、通知部１９１から通知された金種およびカセット識別子が、小束管理データベース２２に記録されている金種およびカセット識別子と一致するか否かをさらに判定してもよい。かかる場合には、制御端末２１は、記番号、金種およびカセット識別子についての判定結果を制御部１９０に通知すればよい。
【００４３】
取得部１９２は、制御端末２１から通知された判定結果を取得する。例えば、取得部１９２は、施封部１４０による施封前に紙幣認識部１２０により上面紙幣に相当する紙幣の記番号が読み取られた場合、当該紙幣の記番号と小束紙幣の取り出し後に小束認識部１５０により読み取られた上面紙幣の記番号とが一致するか否かを示す判定結果を取得してもよい。
【００４４】
あるいは、取得部１９２は、施封部１４０による施封後に小束認識部１５０により上面紙幣の記番号が読み取られた場合、当該上面紙幣の記番号と小束紙幣の取り出し後に小束認識部１５０により読み取られた上面紙幣の記番号とが一致するか否かを示す判定結果を取得してもよい。なお、取得部１９２は、記番号、金種およびカセット識別子についての判定結果を取得してもよい。
【００４５】
搬送制御部１９３は、バラ紙幣および小束紙幣の搬送を制御する。例えば、搬送制御部１９３は、取得部１９２により取得された判定結果が小束紙幣の上面紙幣の記番号の不一致を示す場合に、小束紙幣をリジェクト庫１７０に搬送させる。また、搬送制御部１９３は、取得部１９２により取得された判定結果が小束紙幣の上面紙幣の記番号の一致を示す場合には、小束紙幣を出金口１８０に搬送するように第２小束搬送部１３２を制御する。
【００４６】
搬送制御部１９３は、記番号、金種およびカセット識別子についての判定結果を考慮して小束紙幣の搬送を制御してもよい。すなわち、搬送制御部１９３は、判定結果が金種およびカセット識別子の不一致をさらに示す場合に、小束紙幣を所定の収納庫に搬送させてもよい。また、搬送制御部１９３は、判定結果が金種およびカセット識別子の一致をさらに示す場合に、小束紙幣を出金口１８０に搬送するように第２小束搬送部１３２を制御してもよい。
【００４７】
以上に説明したように、本発明の第１の実施形態においては、カセット１６０に収納された小束紙幣を取り出すに際して、収納前および取り出し後それぞれにおいて読み取られた小束紙幣の上面紙幣の記番号の比較が行われる。また、比較結果が正常ではない場合には、小束紙幣が所定の収納庫に搬送される。したがって、小束紙幣からの紙幣の抜き取りやすり替えがあったことをより精度よく検出することが可能となる。
【００４８】
以上、本発明の第１の実施形態に係る小束管理装置１０Ａの制御部１９０の機能構成例について説明した。続いて、記番号が一致する場合における小束管理データベース２２の更新の例について説明する。
【００４９】
図４は、記番号が一致する場合における更新前の小束管理データベース２２の構成例を示す図である。図５は、記番号が一致する場合における更新後の小束管理データベース２２の構成例を示す図である。なお、以下の説明においては、カセット１６０の例として、カセットＡ〜カセットＣが使用される場合を想定する。また、カセットＡ〜カセットＣそれぞれのカセット識別子は「Ａ」〜「Ｃ」であるとする。
【００５０】
図４に示すように、小束管理データベース２２においては、カセット識別子と小束紙幣の上面紙幣の金種と当該上面紙幣の記番号とが関連付けられている。また、小束管理データベース２２において、「Ｎｏ．」は、カセット識別子には小束紙幣の集積順序を示している。例えば、各カセットから小束紙幣が取り出される場合には、「Ｎｏ．」に示された集積順序通りに小束紙幣から取り出される。
【００５１】
例えば、図４に示すように、カセットＡから取り出された小束紙幣の上面紙幣の金種が「万」であり、当該上面紙幣の記番号が「ｘｘｘ１」であったとする。また、図４に示すように、小束管理データベース２２においても、カセットＡの集積順序「Ｎｏ．１」の金種が「万」であり、記番号が「ｘｘｘ１」であったとする。
【００５２】
かかる場合には、判定結果がカセット識別子、金種および記番号の一致を示すため、カセットＡから取り出された小束紙幣は、出金口１８０に搬送され、図５に示すように、小束管理データベース２２からデータ（カセット識別子：「Ａ」、金種：「万」、記番号：「ｘｘｘ１」）が制御端末２１により削除される。また、図５に示すように、カセットＡの「Ｎｏ．２」〜「Ｎｏ．６」は、制御端末２１により繰り上げられる。
【００５３】
以上、記番号が一致する場合における小束管理データベース２２の更新の例について説明した。続いて、記番号が一致しない場合における小束管理データベース２２の更新の例について説明する。
【００５４】
図６は、記番号が一致しない場合における更新前の小束管理データベース２２の構成例を示す図である。図７は、記番号が一致しない場合における更新後の小束管理データベース２２の構成例を示す図である。
【００５５】
例えば、図６に示すように、カセットＡから取り出された小束紙幣の上面紙幣の金種が「万」であり、当該上面紙幣の記番号が「ｘｘ１８」であったとする。一方、図６に示すように、小束管理データベース２２においては、カセットＡの集積順序「Ｎｏ．１」の金種が「万」であり、記番号が「ｘｘｘ１」であったとする。
【００５６】
かかる場合には、判定結果が記番号の不一致を示すため、カセットＡから取り出された小束紙幣は、リジェクト庫１７０に搬送され、図７に示すように、出金されるべき小束紙幣と異なる小束紙幣が検出された旨が制御端末２１により出力される。小束管理データベース２２からはデータ（カセット識別子：「Ａ」、金種：「万」、記番号：「ｘｘｘ１」）が制御端末２１により削除され、カセットＡの「Ｎｏ．２」〜「Ｎｏ．６」は、制御端末２１により繰り上げられてもよい。
【００５７】
以上、記番号が一致しない場合における小束管理データベース２２の更新の例について説明した。続いて、小束管理装置１０Ａへの入金処理の動作の流れについて説明する。
【００５８】
図８は、小束管理装置１０Ａへの入金処理の動作の流れを示すフローチャートである。図８に示すように、まず、オペレータがバラ紙幣を小束管理装置１０Ａの入金口１１０にセットすると（ステップＳ１１）、紙幣認識部１２０は、バラ紙幣の記番号を読み取り（ステップＳ１２）、バラ紙幣の金種を判別する（ステップＳ１３）。その後、反転部１２２がバラ紙幣の向きを揃えると、バラ紙幣は集積部１２３に搬送される（ステップＳ１４）。
【００５９】
単位枚数のバラ紙幣群が集積部１２３に集積していない場合には（ステップＳ１５で「Ｎｏ」）、ステップＳ１２に戻るが、単位枚数のバラ紙幣群が集積部１２３に集積した場合には（ステップＳ１５で「Ｙｅｓ」）、第１小束搬送部１３１は、単位枚数のバラ紙幣群を施封部１４０に搬送する（ステップＳ１６）。施封部１４０は、把束処理を実施することにより小束紙幣を作成し（ステップＳ１７）、第３小束搬送部１３３は、小束紙幣をカセット１６０に搬送する（ステップＳ１８）。
【００６０】
小束認識部１５０が小束紙幣をカセット１６０に収納すると（ステップＳ１９）、通知部１９１は、小束紙幣の収納先のカセットを識別するためのカセット識別子と当該小束紙幣の上面紙幣の金種と当該上面紙幣の記番号とを制御端末２１に通知する（ステップＳ２０）。上記したように、制御端末２１に通知される金種および記番号としては、紙幣認識部１２０によるバラ紙幣に対する認識により取得された金種および記番号が用いられてもよいし、小束認識部１５０による小束紙幣の上面紙幣に対する認識により取得された金種および記番号が用いられてもよい。
【００６１】
制御端末２１に通知されたカセット識別子、金種および記番号は、小束管理データベース２２に記録される。入金口１１０にセットされたバラ紙幣のうちカセット１６０に収納されていないバラ紙幣がある場合には（ステップＳ２１で「Ｎｏ」）、ステップＳ１２に戻るが、入金口１１０にセットされたバラ紙幣をすべてカセット１６０に収納した場合には（ステップＳ２１で「Ｙｅｓ」）、入金処理が終了される。
【００６２】
以上、小束管理装置１０Ａへの入金処理の動作の流れについて説明した。続いて、小束管理装置１０Ａからの出金処理の動作の流れについて説明する。
【００６３】
図９は、小束管理装置１０Ａからの出金処理の動作の流れを示すフローチャートである。図９に示すように、まず、小束認識部１５０は、オペレータにより指定された金種の小束紙幣をカセット１６０から１束取り出す（ステップＳ３１）。続いて、小束認識部１５０は、小束紙幣の上面紙幣の記番号を読み取り（ステップＳ３２）、当該上面紙幣の金種を判別する（ステップＳ３３）。
【００６４】
続いて、通知部１９１は、小束紙幣が収納されていたカセットを識別するためのカセット識別子と当該小束紙幣の上面紙幣の金種と当該上面紙幣の記番号とを制御端末２１に通知する（ステップＳ３４）。上記したように、制御端末２１に通知される金種および記番号としては、小束認識部１５０による小束紙幣の上面紙幣に対する認識により取得された金種および記番号が用いられてもよい。
【００６５】
制御端末２１は、通知部１９１から通知されたカセット識別子と同一のカセット識別子について、小束管理データベース２２に記録されている金種と通知部１９１から通知された金種とがそれぞれ一致しているか否かを判定する（ステップＳ３５）。取得部１９２により金種が一致していない旨を示す判定結果が取得された場合には（ステップＳ３５で「Ｎｏ」）、第３小束搬送部１３３は、リジェクト庫１７０に小束紙幣を搬送し（ステップＳ３８）、ステップＳ４０に進む。
【００６６】
また、制御端末２１は、通知部１９１から通知されたカセット識別子と同一のカセット識別子について、小束管理データベース２２に記録されている記番号と通知部１９１から通知された記番号とが一致しているか否かを判定する（ステップＳ３７）。取得部１９２により記番号が一致していない旨を示す判定結果が取得された場合には（ステップＳ３７で「Ｎｏ」）、第３小束搬送部１３３は、リジェクト庫１７０に小束紙幣を搬送し（ステップＳ３８）、ステップＳ４０に進む。
【００６７】
小束紙幣がリジェクト庫１７０に搬送された場合には、出金されるべき小束紙幣と異なる小束紙幣が検出された旨が制御端末２１により出力される。オペレータは、制御端末２１により出力された内容を見た後は、小束紙幣から紙幣の抜き取りやすり替えが行われた可能性があると判断し、カセット１６０に収納されている小束紙幣に異常がないか否かを点検する。
【００６８】
一方、取得部１９２により金種および記番号それぞれが一致している旨を示す判定結果が取得された場合には（ステップＳ３５で「Ｙｅｓ」、ステップＳ３７で「Ｙｅｓ」）、第２小束搬送部１３２に小束紙幣を搬送し（ステップＳ３９）、ステップＳ４０に進む。続いて、第２小束搬送部１３２に搬送された小束紙幣の束数がオペレータによる指定束数に到達していない場合には（ステップＳ４０で「Ｎｏ」）、ステップＳ３１に戻る。
【００６９】
一方、第２小束搬送部１３２に搬送された小束紙幣の束数がオペレータによる指定束数に到達した場合には（ステップＳ４０で「Ｙｅｓ」）、第２小束搬送部１３２に搬送された小束紙幣群が第２小束搬送部１３２により出金口１８０に搬送され（ステップＳ４１）、出金処理が終了する。なお、指定束数と比較される小束紙幣の束数には、リジェクト庫１７０に搬送された小束紙幣の束数が含められてもよい。
【００７０】
以上、小束管理装置１０Ａからの出金処理の動作の流れについて説明した。続いて、小束管理装置１０Ａへの小束紙幣の装填処理の動作の流れについて説明する。
【００７１】
図１０は、小束管理装置１０Ａへの小束紙幣の装填処理の動作の流れを示すフローチャートである。図１０に示すように、まず、第１オペレータによる制御端末２１への操作に基づいて、制御端末２１は、小束紙幣の装填先のカセット１６０を識別するためのカセット識別子と当該小束紙幣の上面紙幣の金種と当該上面紙幣の記番号とを小束管理データベース２２に登録する（ステップＳ５１）。続いて、第１オペレータがカセット１６０に小束紙幣を装填すると（ステップＳ５２）、第２オペレータが小束紙幣の装填状況と小束管理データベース２２とを確認し（ステップＳ５３）、確認結果に異常がなければ、小束紙幣の装填を承認し（ステップＳ５４）、装填処理を終了する。
【００７２】
以上、小束管理装置１０Ａへの小束紙幣の装填処理の動作の流れについて説明した。続いて、小束管理装置１０Ａからの小束紙幣の回収理の動作の流れについて説明する。
【００７３】
図１１は、小束管理装置１０Ａからの小束紙幣の回収処理の動作の流れを示すフローチャートである。図１１に示すように、まず、第１オペレータによる制御端末２１への操作に基づいて、制御端末２１は、小束紙幣の回収元のカセット１６０を識別するためのカセット識別子と当該小束紙幣の上面紙幣の金種と当該上面紙幣の記番号とを小束管理データベース２２から削除する（ステップＳ６１）。続いて、第１オペレータがカセット１６０から小束紙幣を回収すると（ステップＳ６２）、第２オペレータが小束紙幣の回収状況と小束管理データベース２２とを確認し（ステップＳ６３）、確認結果に異常がなければ、小束紙幣の回収を承認し（ステップＳ６４）、回収処理を終了する。
【００７４】
以上、小束管理装置１０Ａからの小束紙幣の回収処理の動作の流れについて説明した。続いて、精査部１９４による小束紙幣の精査の例について説明する。上記したように、小束紙幣の束数をカウントする技術には様々な技術が存在する。例えば、空きカセットを回収用カセットとしてあらかじめ用意し、精査対象カセットから取り出した小束紙幣を回収用カセットに移動させる過程において束数をカウントする技術が存在する。
【００７５】
しかしながら、あらかじめ空きカセットを用意しておくことにすると、小束紙幣の束数をカウントしない場合においては、その空きカセットを有効に活用できない。そこで、以下においては、小束紙幣の束数をカウントしない場合においても、小束管理装置１０Ａに格納されるカセットを有効に活用しながら、小束紙幣の束数をカウントするための技術について主に説明する。
【００７６】
本実施形態において、カセット１６０に収納されている小束紙幣の束数をカウントする機能は精査部１９４が有している。ここで、精査部１９４は、精査に使用する精査使用カセットが特定された場合、精査使用カセットと精査対象カセットとの間における小束紙幣の搬送時に小束紙幣の束数をカウントする。精査対象カセットは、例えば、オペレータからの制御端末２１に対する操作により精査対象の金種が指定された場合には、当該金種の小束紙幣を収納可能なカセット１６０が精査対象カセットとして制御端末２１により特定される。
【００７７】
なお、精査時においてもカセット１６０から小束紙幣が取り出されるため、精査対象カセットへの収納前および取り出し後それぞれにおいて読み出された記番号が一致するか否かが制御端末２１により判定されてもよい。すなわち、搬送制御部１９３は、精査対象カセットへの収納前および精査対象カセットと精査使用カセットとの間における搬送時それぞれにおいて読み取られた小束紙幣の上面紙幣の記番号が一致しない場合に、小束紙幣をリジェクト庫１７０に搬送させてもよい。
【００７８】
また、搬送制御部１９３は、精査対象カセットへの収納前および精査対象カセットと精査使用カセットとの間における搬送時それぞれにおいて読み取られた小束紙幣の上面紙幣の記番号が一致する場合に、小束紙幣を精査使用カセットに搬送させてもよい。精査時においても、既に説明した出金時と同様に、記番号以外に金種が一致するか否かが判定されてもよいし、カセット識別子が一致するか否かが判定されてもよい。また、これらの判定は、出金時における判定と同様になされ得る。続いて、空きカセットを精査使用カセットとして特定する場合における精査の例について説明する。
【００７９】
図１２は、空きカセットを精査使用カセットとして特定する場合における精査の例について説明するための図である。図１２に示した例においては、カセットＡおよびカセットＢには小束紙幣が収納されており、カセットＣには小束紙幣が収納されていない（状態Ｔ１１）。このような場合、制御端末２１は、小束管理データベース２２を参照して、小束紙幣が収納されていないカセットＣ（空きカセット）を精査使用カセットとして特定すればよい。
【００８０】
ここで、カセットＡが精査対象カセットとして特定されたとすると、第３小束搬送部１３３により精査対象カセットＡから精査使用カセットＣに小束紙幣が搬送され（状態Ｔ１２）、搬送の過程において精査部１９４により小束紙幣の束数がカウントされる。なお、精査使用カセットＣに搬送された小束紙幣を、第３小束搬送部１３３により精査対象カセットＡに戻す場合がある。例えば、精査対象カセットＡと精査使用カセットＣとの間で収納可能な金種が異なる場合などが該当する。
【００８１】
かかる場合には、精査使用カセットＣから精査対象カセットＡに小束紙幣が戻されるときに小束紙幣の束数がカウントされてもよい。しかし、例えば、精査対象カセットＡと精査使用カセットＣとの間で収納可能な金種が異なる場合などには、精査対象カセットＡから小束紙幣を取り出す場合のほうが束数のカウントの精度がより高いことが予想される。精査対象カセットＡに元々収納されている小束紙幣に関しては、精査対象カセットＡからであれば障害なく取り出され得ると考えられるからである。
【００８２】
このように、空きカセットが精査使用カセットとして特定されれば、精査対象カセットと精査使用カセットとにおいて収納可能な小束紙幣の金種が同一であるか否かに関わらず、精査対象カセットと精査使用カセットとの間において小束紙幣が搬送される過程で小束紙幣の束数のカウントを行うことができる。
【００８３】
以上、空きカセットを精査使用カセットとして特定する場合における精査の例について説明した。続いて、精査対象の金種と同一の金種のカセットを精査使用カセットとして特定する場合における精査の例について説明する。
【００８４】
図１３は、精査対象の金種と同一の金種のカセットを精査使用カセットとして特定する場合における精査の例について説明するための図である。図１３に示した例においては、オペレータにより指定された精査対象の金種とカセットＡおよびカセットＢが収納可能な小束紙幣の金種が同一であり、カセットＣが収納可能な金種は精査対象の金種と異なるとする（状態Ｔ２１）。
【００８５】
このような場合、制御端末２１は、小束管理データベース２２を参照して、精査対象の金種の小束紙幣を収納可能なカセットＡおよびカセットＢを精査対象カセットとして特定し、精査対象の金種の小束紙幣を収納可能なカセットＡおよびカセットＢのいずれかを精査使用カセットとして特定すればよい。
【００８６】
なお、同一の金種の小束紙幣を収納可能な複数のカセットが存在しない場合や、当該複数のカセットが存在したとしても当該複数のカセットのうちの１のカセットに収納されている小束紙幣すべてを他のカセットに収納されているカセットに移動させた場合に移動先のカセットが必ずフル状態（収納可能な束数を超えて小束紙幣をカセットに収納しようとした状態）になってしまう場合には、精査使用カセットが特定できず、その旨が制御端末２１により出力される。
【００８７】
図１３に示した例では、カセットＡおよびカセットＢのうち、より収納されている小束紙幣の束数の少ないカセットＢが精査使用カセットとして特定されている。ここで、第３小束搬送部１３３により精査対象カセットＡから精査使用カセットＢ（精査対象カセットＢ）に小束紙幣が搬送される（状態Ｔ２２）。これにより、精査使用カセットＢ（精査対象カセットＢ）に精査対象の金種の小束紙幣が統合される。
【００８８】
続いて、精査使用カセットＢ（精査対象カセットＢ）に収納されているすべての小束紙幣が第３小束搬送部１３３により精査対象カセットＡに搬送され（状態Ｔ２３）、搬送の過程において精査部１９４により小束紙幣の束数がカウントされる。このように、収納可能な小束紙幣の金種が精査対象の金種と同一であるカセットが複数存在する場合には、当該複数のカセットのいずれかが精査使用カセットとして特定されれば、小束紙幣の移動回数をより少なくして小束紙幣の束数のカウントを行うことが可能となる。
【００８９】
以上、精査対象の金種と同一の金種のカセットを精査使用カセットとして特定する場合における精査の例について説明した。続いて、精査対象の金種と異なる金種のカセットを精査使用カセットとして特定する場合における精査の例について説明する。
【００９０】
図１４は、精査対象の金種と異なる金種のカセットを精査使用カセットとして特定する場合における精査の例について説明するための図である。図１４に示した例においては、オペレータにより指定された精査対象の金種とカセットＣが収納な可能な小束紙幣の金種が同一であり、カセットＡおよびカセットＢが収納可能な小束紙幣の金種が同一であるが、精査対象の金種と異なるとする（状態Ｔ３１）。
【００９１】
このような場合、制御端末２１は、小束管理データベース２２を参照して、精査対象の金種の小束紙幣を収納可能なカセットＣを精査対象カセットとして特定し、同一の金種の小束紙幣を収納可能なカセットＡおよびカセットＢのいずれかを精査使用カセットとして特定すればよい。
【００９２】
図１４に示した例では、カセットＡおよびカセットＢのうち、カセットＡが精査使用カセットとして特定されている。ここで、精査対象カセットＣが収納可能な小束紙幣と同一の金種の小束紙幣を収納可能なカセットが存在しないため、第３小束搬送部１３３により精査使用カセットＡから精査使用カセットＡと同一の金種の小束紙幣を収納可能なカセットＢに小束紙幣が搬送される（状態Ｔ３２）。これにより、精査使用カセットＡが空きカセットとなる。
【００９３】
続いて、精査対象カセットＣに収納されているすべての小束紙幣が第３小束搬送部１３３により精査使用カセットＡに搬送され（状態Ｔ３３）、搬送の過程において精査部１９４により小束紙幣の束数がカウントされる。続いて、精査使用カセットＡに搬送された小束紙幣を第３小束搬送部１３３により精査対象カセットＣに戻す。精査使用カセットＡと精査対象カセットＣとの間で収納可能な金種が異なるからである。
【００９４】
このように、収納可能な小束紙幣の金種が精査対象の金種と同一であるカセットが１つしか存在しない場合であっても、同一の金種の小束紙幣を収納可能なカセットが複数存在する場合であれば、当該複数のカセットのいずれかが精査使用カセットとして特定されればよい。そうすれば、当該精査使用カセットを空きカセットにすることによって小束紙幣の移動回数をより少なくして小束紙幣の束数のカウントを行うことが可能となる。
【００９５】
以上、精査対象の金種と異なる金種のカセットを精査使用カセットとして特定する場合における精査の例について説明した。続いて、空きカセットが存在しない場合に手回収により空きカセットを作る場合における精査の動作例について説明する。
【００９６】
図１５〜図１７は、空きカセットが存在しない場合に手回収により空きカセットを作る場合における精査の動作例を示すフローチャートである。図１５に示すように、まず、オペレータにより精査対象の金種が指定されると、制御端末２１は、精査前の小束管理データベース２２の内容を保持する（ステップＳ７１）。制御端末２１は、小束管理データベース２２を参照して、空きカセットが存在するか否かを判定する（ステップＳ７２）。
【００９７】
制御端末２１は、空きカセットが存在すると判定した場合には（ステップＳ７２で「Ｙｅｓ」）、当該空きカセットをカセットＸと特定し（ステップＳ７３）、ステップＳ８０に進む。カセットＸは、上記した例では、精査使用カセットに相当する。一方、制御端末２１は、空きカセットが存在しないと判定した場合には（ステップＳ７２で「Ｎｏ」）、収納されている小束紙幣の束数が最も少ないカセットをカセットＸと特定する（ステップＳ）。オペレータは、カセットＸに収納された小束紙幣を全回収する（ステップＳ７５）。これにより、空きカセットが生成される。
【００９８】
制御端末２１は、回収された小束紙幣の上面紙幣の金種と上面紙幣の記番号とを一時保存して（ステップＳ７６）、小束管理データベース２２を更新する（ステップＳ７７）。ステップＳ８０に進み、小束認識部１５０が精査対象カセットのうち未精査のカセットから小束紙幣を取り出すと（ステップＳ８０）、小束認識部１５０は、小束紙幣の上面紙幣の記番号を読み取り、当該上面紙幣の金種を判別する。
【００９９】
通知部１９１は、当該未精査のカセットを識別するためのカセット識別子と当該小束紙幣の上面紙幣の金種と当該上面紙幣の記番号とを制御端末２１に通知する（ステップＳ８１）。上記したように、制御端末２１に通知される金種および記番号としては、小束認識部１５０による小束紙幣の上面紙幣に対する認識により取得された金種および記番号が用いられてもよい。
【０１００】
制御端末２１は、通知部１９１から通知されたカセット識別子と同一のカセット識別子について、小束管理データベース２２に記録されている金種と通知部１９１から通知された金種とがそれぞれ一致しているか否かを判定する（ステップＳ８２）。取得部１９２により金種が一致していない旨を示す判定結果が取得された場合には（ステップＳ８２で「Ｎｏ」）、第３小束搬送部１３３は、リジェクト庫１７０に小束紙幣を搬送し（ステップＳ８３）、ステップＳ８６に進む。
【０１０１】
また、制御端末２１は、通知部１９１から通知されたカセット識別子と同一のカセット識別子について、小束管理データベース２２に記録されている記番号と通知部１９１から通知された記番号とが一致しているか否かを判定する（ステップＳ８４）。取得部１９２により記番号が一致していない旨を示す判定結果が取得された場合には（ステップＳ８４で「Ｎｏ」）、第３小束搬送部１３３は、リジェクト庫１７０に小束紙幣を搬送し（ステップＳ８３）、ステップＳ８６に進む。
【０１０２】
一方、取得部１９２により金種および記番号それぞれが一致している旨を示す判定結果が取得された場合には（ステップＳ８２で「Ｙｅｓ」、ステップＳ８４で「Ｙｅｓ」）、第３小束搬送部１３３はカセットＸに小束紙幣を搬送し（ステップＳ８５）、ステップＳ８６に進む。続いて、精査部１９４は、小束紙幣の束数をカウントアップする（ステップＳ８６）。
【０１０３】
搬送制御部１９３は、当該未精査のカセット内に小束紙幣が残っている場合には（ステップＳ８７で「Ｙｅｓ」）、ステップＳ８０に戻るが、当該未精査のカセット内に小束紙幣が残っていない場合には（ステップＳ８７で「Ｎｏ」）、第３小束搬送部１３３は、カセットＸから当該未精査のカセットに小束紙幣をすべて搬送し（ステップＳ８８）、当該未精査のカセットの精査を完了する（ステップＳ８９）。搬送制御部１９３は、精査対象の全カセットについての精査が完了していない場合には（ステップＳ９０で「Ｎｏ」）、ステップＳ８０に戻るが、精査対象の全カセットについての精査が完了した場合には（ステップＳ９０で「Ｙｅｓ」）、ステップＳ９１に進む。
【０１０４】
ステップＳ９１に進んだ場合には、制御端末２１は、精査前の小束管理データベース２２から得られる束数と精査結果（カウントした束数）とをカセットＸ以外について比較する（ステップＳ９１）。制御端末２１は、精査結果が正常ではない場合には（ステップＳ９２で「Ｎｏ」）、ステップＳ９３に進む。一方、制御端末２１は、精査結果が正常である場合には（ステップＳ９２で「Ｙｅｓ」）、ステップＳ９４に進む。
【０１０５】
ステップＳ９４に進んだ場合には、ステップＳ７５で小束紙幣を回収していない場合には（ステップＳ９４で「Ｎｏ」）、精査を終了するが、ステップＳ７５で小束紙幣を回収した場合には（ステップＳ９４で「Ｙｅｓ」）、回収束（回収した小束紙幣）をオペレータが入金口１１０から入金し（ステップＳ９５）、制御端末２１は、小束管理データベース２２を更新する（ステップＳ９６）。
【０１０６】
続いて、制御端末２１は、入金した回収束の内容とステップＳ７６における一時保存データとが一致するか否かを判定し（ステップＳ９７）、一致すると判定した場合には（ステップＳ９７で「Ｙｅｓ」）、精査を終了するが、一致しないと判定した場合には（ステップＳ９７で「Ｎｏ」）、オペレータへの確認指示を出力して（ステップＳ９３）、精査を終了する。
【０１０７】
以上、空きカセットが存在しない場合に手回収により空きカセットを作る場合における精査の動作例について説明した。続いて、精査対象の金種と同一の金種のカセットが存在するか否かを判定する場合における精査の動作例について説明する。
【０１０８】
図１８および図１９は、精査対象の金種と同一の金種のカセットが存在するか否かを判定する場合における精査の動作例を示すフローチャートである。図１８に示すように、まず、オペレータにより精査対象の金種が指定されると、制御端末２１は、カセットＸを特定する（ステップＳ１０１）。カセットＸの特定は、例えば、既に述べたような手法により行うことができる。
【０１０９】
精査部１９４は、特定されたカセットＸに収納された小束紙幣の金種Ｋ１が精査対象の金種Ｋ２と同一である場合には（ステップＳ１０２で「Ｙｅｓ」）、金種一致フラグに「一致」を設定し（ステップＳ１０３）、ステップＳ１１１に進む。一方、精査部１９４は、カセットＸに収納された小束紙幣の金種Ｋ１が精査対象の金種Ｋ２と異なる場合には（ステップＳ１０２で「Ｎｏ」）、金種一致フラグに「不一致」を設定し（ステップＳ１０４）、ステップＳ１０５に進む。
【０１１０】
第３小束搬送部１３３は、ステップＳ１０５に進んだ場合には、カセットＸに収納された小束紙幣をすべて金種Ｋ１の小束紙幣が収納された他のカセットに搬送し（ステップＳ１０５）、ステップＳ１１１に進む。ステップＳ１１１に進み、小束認識部１５０が精査対象カセットのうち未精査のカセットから小束紙幣を取り出すと（ステップＳ１０５）、小束認識部１５０は、小束紙幣の上面紙幣の記番号を読み取り、当該上面紙幣の金種を判別する。
【０１１１】
通知部１９１は、当該未精査のカセットを識別するためのカセット識別子と当該小束紙幣の上面紙幣の金種と当該上面紙幣の記番号とを制御端末２１に通知する（ステップＳ１１２）。上記したように、制御端末２１に通知される金種および記番号としては、小束認識部１５０による小束紙幣の上面紙幣に対する認識により取得された金種および記番号が用いられてもよい。
【０１１２】
制御端末２１は、通知部１９１から通知されたカセット識別子と同一のカセット識別子について、小束管理データベース２２に記録されている金種と通知部１９１から通知された金種とがそれぞれ一致しているか否かを判定する（ステップＳ１１３）。取得部１９２により金種が一致していない旨を示す判定結果が取得された場合には（ステップＳ１１３で「Ｎｏ」）、第３小束搬送部１３３は、リジェクト庫１７０に小束紙幣を搬送し（ステップＳ１１４）、ステップＳ１１７に進む。
【０１１３】
また、制御端末２１は、通知部１９１から通知されたカセット識別子と同一のカセット識別子について、小束管理データベース２２に記録されている記番号と通知部１９１から通知された記番号とが一致しているか否かを判定する（ステップＳ１１５）。取得部１９２により記番号が一致していない旨を示す判定結果が取得された場合には（ステップＳ１１５で「Ｎｏ」）、第３小束搬送部１３３は、リジェクト庫１７０に小束紙幣を搬送し（ステップＳ１１４）、ステップＳ１１７に進む。
【０１１４】
一方、取得部１９２により金種および記番号それぞれが一致している旨を示す判定結果が取得された場合には（ステップＳ１１３で「Ｙｅｓ」、ステップＳ１１５で「Ｙｅｓ」）、第３小束搬送部１３３はカセットＸに小束紙幣を搬送し（ステップＳ１１６）、ステップＳ１１７に進む。続いて、精査部１９４は、金種一致フラグが「不一致」であれば、小束紙幣の束数をカウントアップする（ステップＳ１１７）。
【０１１５】
搬送制御部１９３は、当該未精査のカセット内に小束紙幣が残っている場合には（ステップＳ１１８で「Ｙｅｓ」）、ステップＳ１１１に戻るが、当該未精査のカセット内に小束紙幣が残っていない場合には（ステップＳ１１８で「Ｎｏ」）、第３小束搬送部１３３は、カセットＸから当該未精査のカセットに小束紙幣をすべて搬送する（ステップＳ１１９）。精査部１９４は、金種一致フラグが「一致」であれば、ステップＳ１１９で搬送されたすべての小束紙幣の束数をカウントし（ステップＳ１１７）、当該未精査のカセットの精査を完了する（ステップＳ１２１）。
【０１１６】
搬送制御部１９３は、精査対象の全カセットについての精査が完了していない場合には（ステップＳ１２２で「Ｎｏ」）、ステップＳ１１１に戻るが、精査対象の全カセットについての精査が完了した場合には（ステップＳ１２２で「Ｙｅｓ」）、精査を終了する。なお、精査の前後において各カセットに収納される小束紙幣が変更されている可能性があるため、精査終了前に小束管理データベース２２が更新されてもよい。
【０１１７】
以上、精査対象の金種と同一の金種のカセットが存在するか否かを判定する場合における精査の動作例について説明した。以上、本発明の第１の実施形態について説明した。
【０１１８】
［第２の実施形態の説明］
続いて、本発明の第２の実施形態について説明する。
【０１１９】
図２０は、本発明の第２の実施形態に係る情報処理システム１Ｂの構成例を示す図である。図２０に示すように、本発明の第２の実施形態に係る情報処理システム１Ｂは、小束管理装置１０Ｂと、制御システム２０と、紙幣入出金機３０とを備えている。以下では、本発明の第１の実施形態に係る小束管理装置１０Ａと異なる小束管理装置１０Ｂと本発明の第２の実施形態に係る紙幣入出金機３０とについて主に説明する。
【０１２０】
図２１は、本発明の第２の実施形態に係る小束管理装置１０Ｂの構成例を示す図である。図２１に示すように、紙幣入出金機３０は、入金口１１０と、紙幣認識部１２０と、入金リジェクト部１２１と、受渡口３１０とを備えている。紙幣入出金機３０が備える入金口１１０、紙幣認識部１２０および入金リジェクト部１２１は、第１の実施形態に係る小束管理装置１０Ａが備える入金口１１０、紙幣認識部１２０および入金リジェクト部１２１と同様に機能する。受渡口３１０は、紙幣認識部１２０から搬送されたバラ紙幣を小束管理装置１０Ｂに受け渡す機能を有する。
【０１２１】
小束管理装置１０Ｂは、受取口１２４と、集積部１２３と、第１小束搬送部１３１と、第２小束搬送部１３２と、第３小束搬送部１３３とを備える。また、図２に示すように、小束管理装置１０Ａは、施封部１４０と、小束認識部１５０と、カセット１６０と、リジェクト庫１７０と、出金口１８０と、制御部１９０とを備えている。受取口１２４は、受渡口３１０から受け渡されたバラ紙幣を受け取る機能を有する。
【０１２２】
［変形例の説明］
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２３】
制御部１９０を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部により記憶されているプログラムがＣＰＵによりＲＡＭに展開されて実行されることにより、その機能が実現され得る。あるいは、制御部１９０を構成する各ブロックは、専用のハードウェアにより構成されていてもよいし、複数のハードウェアの組み合わせにより構成されてもよい。
【０１２４】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１２５】
１Ａ、１Ｂ  情報処理システム
１０Ａ、１０Ｂ  小束管理装置
２０    制御システム
２１    制御端末
２２    小束管理データベース
３０    紙幣入出金機
１１０  入金口
１２０  紙幣認識部
１２１  入金リジェクト部
１２２  反転部
１２３  集積部
１２４  受取口
１３１  第１小束搬送部
１３２  第２小束搬送部
１３３  第３小束搬送部
１４０  施封部
１５０  小束認識部
１６０  カセット
１７０  リジェクト庫
１８０  出金口
１９０  制御部
１９１  通知部
１９２  取得部
１９３  搬送制御部
１９４  精査部
３１０  受渡口
【図１】
2014102545.tif 000003
【図２】
2014102545.tif 000004
【図３】
2014102545.tif 000005
【図４】
2014102545.tif 000006
【図５】
2014102545.tif 000007
【図６】
2014102545.tif 000008
【図７】
2014102545.tif 000009
【図８】
2014102545.tif 000010
【図９】
2014102545.tif 000011
【図１０】
2014102545.tif 000012
【図１１】
2014102545.tif 000013
【図１２】
2014102545.tif 000014
【図１３】
2014102545.tif 000015
【図１４】
2014102545.tif 000016
【図１５】
2014102545.tif 000017
【図１６】
2014102545.tif 000018
【図１７】
2014102545.tif 000019
【図１８】
2014102545.tif 000020
【図１９】
2014102545.tif 000021
【図２０】
2014102545.tif 000022
【図２１】
2014102545.tif 000023